(57)【特許請求の範囲】
【請求項１】
目地部が狭くなると目地部を覆う目地プレートが上方へ移動する床用目地装置において、前記目地プレートの後端部を支持する部材に固定された支持筒と、この支持筒に出没可能に収納された少なくとも１個以上の伸縮筒と、この少なくとも１個以上の伸縮筒内に先端部を除く部位がスライド移動可能に収納された先端部に取付けられた、前記目地プレートを枢支する枢支ピンを備える支持体とからなる目地プレート支持具を用いたことを特徴とする床用目地装置。
【請求項２】
目地部が狭くなると目地部を覆う目地プレートが上方へ移動する床用目地装置において、前記目地プレートの中央部を前記目地部の中央部に常時位置させる中央維持機構の中央枢支部に枢支された支持バーに固定された支持筒と、この支持筒に出没可能に収納された少なくとも１個以上の伸縮筒と、この少なくとも１個以上の伸縮筒内に先端部を除く部位がスライド移動可能に収納された先端部に取付けられた、前記目地プレートを枢支する枢支ピンを備える支持体とからなる目地プレート支持具を用いたことを特徴とする床用目地装置。
【請求項３】
支持筒、少なくとも１個以上の伸縮筒および支持体は回動不能に伸縮できる多角形状で、かつ支持筒、少なくとも１個以上の伸縮筒および支持体が抜け脱しないようにそれぞれ抜け脱防止手段が設けられていることを特徴とする請求項１、２いずれかに記載の床用目地装置。
【発明の詳細な説明】
【技術分野】
【０００１】
本発明は目地部を介して設けられた左右の床躯体間を覆う床用目地装置に関する。
【背景技術】
【０００２】
従来の床用目地装置は一方の目地部側の床躯体に目地プレートの後端部を支持する支持凹部を形成し、他方の目地部側の床躯体に反目地部側に傾斜面が形成された目地プレートの先端部をスライド移動可能に支持するスライド支持凹部を形成するとともに、目地プレートの後端部を前記支持凹部に固定されたピンで、該目地プレートの先端部が上下方向への回動を可能に支持している。
【０００３】
このように構成された床用目地装置は、目地プレートの先端部だけの上下方向の回動では問題が生じないが、目地プレートを他方の床躯体上に乗り上げて後端部が上方へ移動する場合、一方の床躯体の支持凹部に固定されたピンが損傷したり、ピンから目地プレートが外れて、元の状態に戻れなくなるという欠点があった。
【特許文献１】特許第３４０２３０７
【発明の開示】
【発明が解決しようとする課題】
【０００４】
本発明は以上のような従来の欠点に鑑み、目地プレートの先端部の回動をスムーズに行なうことができるとともに、目地プレートが上方へ移動しても支持状態を保った状態でスムーズにでき、自動的に元の状態へ戻すことができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部が狭くなると目地部を覆う目地プレートが上方へ移動する床用目地装置において、前記目地プレートの後端部を支持する部材に固定された支持筒と、この支持筒に出没可能に収納された少なくとも１個以上の伸縮筒と、この少なくとも１個以上の伸縮筒内に先端部を除く部位がスライド移動可能に収納された先端部に取付けられた、前記目地プレートを枢支する枢支ピンを備える支持体とからなる目地プレート支持具を用いて床用目地装置を構成している。
【発明の効果】
【０００７】
以上の説明から明らかなように、本発明にあっては次に列挙する効果が得られる。
【０００８】
（１）目地部が狭くなると目地部を覆う目地プレートが上方へ移動する床用目地装置において、前記目地プレートの後端部を支持する部材に固定された支持筒と、この支持筒に出没可能に収納された少なくとも１個以上の伸縮筒と、この少なくとも１個以上の伸縮筒内に先端部を除く部位がスライド移動可能に収納された先端部に取付けられた、前記目地プレートを枢支する枢支ピンを備える支持体とからなる目地プレート支持具を用いて構成されているので、目地プレート支持具によって目地プレートの先端部をスムーズに上下方向へ回動させることができるとともに、目地プレートが上方へ移動する場合には、支持体および、少なくとも１個以上の伸縮筒が伸長して、その移動をスムーズにさせることができる。
したがって、目地プレートの移動をスムーズに行なわせることができる。
【０００９】
（２）前記（１）によって、目地プレートの移動が停止すると、目地プレート支持具が自動的に元の状態へ戻ることができる。
したがって、目地プレートの移動後の点検が不要で、経済的に使用することができる。
【００１０】
（３）前記（１）によって、構造が簡単であるので、容易に設置することができる。
【００１１】
（４）請求項２も前記（１）〜（３）と同様な効果が得られる。
【００１２】
（５）請求項３も前記（１）〜（３）と同様な効果が得られるとともに、目地プレートの水平方向の回動を阻止して、確実に支持体や伸縮筒の抜け脱を防止することができる。
【発明を実施するための最良の形態】
【００１３】
以下、図面に示す本発明を実施するための最良の形態により、本発明を詳細に説明する。
【００１４】
図１ないし図８に示す本発明を実施するための最良の第１の形態において、１は目地部２を介して設けられた一方の床躯体３の目地部側に形成された支持凹部４および、他方の床躯体５の目地部側に反目地部側が傾斜面６に形成されたスライド支持凹部７を覆う本発明の床用目地装置で、この床用目地装置１は前記支持凹部４に後端部が支持され、前記スライド支持凹部７に先端部が支持された目地プレート８と、この目地プレート８の後端部を先端部が上下方向に回動するとともに、後端部を上下移動可能に支持する目地プレート支持支持具９、９と、前記目地プレート８の先端部に先端部が上下方向に、回動可能にヒンジ部材１０を介して取付けられたカバープレート１１とで構成されている。
【００１５】
前記目地プレート８は後端部の両側部寄りの部位にコ字状の取付け凹部１２、１２が形成され、先端部の底面が傾斜面１３に形成された金属材製の浅皿状の目地プレート本体１４と、この目地プレート本体１４内に充填されたモルタルやセメント１５および、表面を覆うタイル等の床化粧板１６とで構成されている。
なお、前記コ字状の取付け凹部１２、１２の上面には必要に応じてカバーを取り付けたり、あるいは上面が覆われたコ字状の取付け凹部１２、１２であっても良い。
【００１６】
前記目地プレート支持具９、９は図３ないし図５に示すように、前記支持凹部４に複数本のタッピングビス等のビス１７で下部のフランジ部１８が固定される上部内壁面に内側へ突出するストッパー片１９が形成された多角形状、本発明を実施する形態では正方形状の支持筒２０と、この支持筒２０に出没可能に収納された下部外周部に、前記支持筒２０のストッパー片１９と当接するストッパー片２１が形成され、上部内壁面に内側へ突出する上部ストッパー片２２が形成された正方形状の伸縮筒２３と、この伸縮筒２３内に先端部を除く部位がスライド移動可能に収納された先端部に、前記目地プレート８の取付け凹部１２の上部寄りの部位に枢支ピン２４で枢支される枢支部２５が形成され、下部外周部に前記伸縮筒２３の上部ストッパー片２２と当接するストッパー片２６が形成された支持体２７とで構成されている。
なお、前記ストッパー片１９、２１、上部ストッパー片２２およびストッパー片２６は抜け脱防止手段２８である。
【００１７】
上記構成の床用目地装置１は、通常時には図１および図２に示すように、一方の床躯体３の支持凹部４と他方の床躯体５のスライド支持凹部７とを目地プレート８で覆った状態となっている。
地震等によって目地部２が狭くなるように両方の床躯体３、５が揺れ動いた場合、図６に示すように目地プレート８の先端部が他方の床躯体５のスライド支持凹部７の傾斜面６によって上方へ押し上げられるように回動し、さらに大きく移動すると図７に示すように、目地プレート８の後端部が上方へ移動する。
この時、目地プレート支持具９、９の支持体２７、２７および伸縮筒２３、２３が上方へスライド移動して、その移動をスムーズにさせる。
目地部２が元の状態に戻ると、目地プレート支持具９、９および目地プレート８は自動的に元の状態へ戻る。
目地部２が広くなるように両方の床躯体３、５が揺れ動くと、図８に示すように一方の床躯体３によって、目地プレート支持具９、９を介して目地プレート８の先端部を他方の床躯体５のスライド支持凹部７上をスライド移動して、その揺れ動きを吸収する。
[発明を実施するための異なる形態]
【００１８】
次に、図９ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図９ないし図１１に示す本発明を実施するための第２の形態において、前記本発明を実施するための最良の第１の形態と主に異なる点は、円筒形状の支持筒２０Ａ、円筒形状の伸縮筒２２Ａおよび円柱状の支持体２７Ａとを使用して構成した目地プレート支持具９Ａ、９Ａを用いた点で、このような目地プレート支持具９Ａ、９Ａを用いて構成した床用目地装置１Ａにしても、前記本発明を実施するための最良の第１の形態と同様な作用効果が得られる。
【００２０】
図１２ないし図１４に示す本発明を実施するための第３の形態において、前記本発明を実施するための第２の形態と主に異なる点は、２個の伸縮筒２３Ａ、２３Ｂを使用して構成した目地プレート支持具９Ｂ、９Ｂを用いた点で、このような目地プレート支持具９Ｂ、９Ｂを用いて構成した床用目地装置１Ｂにしても、前記本発明を実施するための第２の形態と同様な作用効果が得られる。
【００２１】
図１５ないし図１７に示す本発明を実施するための第４の形態において、前記本発明を実施するための第２の形態と主に異なる点は、下部が閉塞板２９で閉塞され、上部外周部にストッパー片１９Ａを螺合固定するねじ部３０を形成した支持筒２０Ｂを使用して構成した目地プレート支持具９Ｃ、９Ｃを用いた点で、このような目地プレート支持具９Ｃ、９Ｃを用いて構成した床用目地装置１Ｃにしても、前記本発明を実施するための第２の形態と同様な作用効果が得られる。
【００２２】
図１８ないし図２２に示す本発明を実施するための第５の形態において、前記本発明を実施するための第２の形態と主に異なる点は、スライド支持凹部７、７が両床躯体３、５に形成され、該スライド支持凹部７、７を覆う目地プレート８Ａと、両床躯体３、５の目地部側に両端部が枢支ピン３１、３１で枢支された中央枢支部３２、３２が常時目地部２の中央部に位置する、少なくとも２個以上の伸縮リンク３３、３３、この伸縮リンク３３、３３の中央枢支部３２、３２に枢支ピン３４、３４で枢支された支持バー３５、この支持バー３５に取付けられた支持筒２０Ａ、２０Ａおよび目地プレート８Ａのほぼ中央部に枢支ピン２４、２４で枢支された支持体２７Ａ、２７Ａとを用いた目地プレート支持具９Ｂ、９Ｂを使用した中央維持機構３６を用いた点で、このような中央維持機構３６を用いて構成した床用目地装置１Ｄにしても、前記本発明を実施するための第２の形態と同様な作用効果が得られる。
なお、少なくとも２個以上の伸縮リンク３３、３３に代え、傾斜状態で両端部がガイドレールにスライド移動可能に支持された中央維持機構や、その他の目地部が広くなったり、狭くなっても中央枢支部が目地部の中央部に位置させることができる機構ならば、どんな機構を用いてもよい。
【産業上の利用可能性】
【００２３】
本発明は床用目地装置を製造する産業で利用される。
【図面の簡単な説明】
【００２４】
【図１】本発明を実施するための最良の第１の形態の平面図。
【図２】図１の２−２線に沿う拡大断面図。
【図３】本発明を実施するための最良の第１の形態の目地プレート支持具の説明図。
【図４】図３の４−4線沿う断面図。
【図５】本発明を実施するための最良の第１の形態の目地プレート支持具の分解斜視図。
【図６】本発明を実施するための最良の第１の形態の目地部が狭くなった動作説明図。
【図７】本発明を実施するための最良の第１の形態の目地部が非常に狭くなった動作説明図。
【図８】本発明を実施するための最良の第１の形態の目地部が広くなった動作説明図。
【図９】本発明を実施するための第２の形態の平面図。
【図１０】図９の１０−１０線に沿う拡大断面図。
【図１１】本発明を実施するための第２の形態の目地プレート支持具の分解斜視図。
【図１２】本発明を実施するための第３の形態の平面図。
【図１３】図１２の１３−１３線に沿う拡大断面図。
【図１４】本発明を実施するための第３の形態の目地プレート支持具の分解斜視図。
【図１５】本発明を実施するための第４の形態の平面図。
【図１６】図１５の１６−１６線に沿う拡大断面図。
【図１７】本発明を実施するための第４の形態の目地プレート支持具の分解斜視図。
【図１８】本発明を実施するための第５の形態の平面図。
【図１９】図１８の１９−１９線に沿う拡大断面図。
【図２０】本発明を実施するための第５の形態の中央維持機構の説明図。
【図２１】本発明を実施するための第５の形態の目地部が狭くなった動作説明図。
【図２２】本発明を実施するための第５の形態の目地部が広くなった動作説明図。
【符号の説明】
【００２５】
１、１Ａ、１Ｂ、１Ｃ、１Ｄ：床用目地装置、
２：目地部、                  ３：一方の床躯体、
４：支持凹部、                ５：他方の床躯体、
６：傾斜面、                  ７：スライド支持凹部、
８、８Ａ：目地プレート、
９、９Ａ、９Ｂ、９Ｃ：目地プレート支持具、
１０：ヒンジ部材、            １１：カバープレート、
１２：取付け凹部、            １３：傾斜面、
１４：目地プレート本体、      １５：モルタルやセメント、
１６：床化粧板、              １７：ビス、
１８：フランジ部、            １９：ストッパー片、
２０、２０Ａ、２０Ｂ：支持筒、２１：ストッパー片、
２２：上部ストッパー部、      ２３、２３Ａ：伸縮筒、
２４：枢支ピン、              ２５：枢支部、
２６：ストッパー片、          ２７、２７Ａ：支持体、
２８：抜け脱防止手段、        ２９：閉塞板、
３０：ねじ部、                ３１：枢支ピン、
３２：中央枢支部、            ３３：伸縮リンク、
３４：枢支ピン、              ３５：支持バー、
３６：中央維持機構。 
【図１】
0004452223.tif 000002
【図２】
0004452223.tif 000003
【図３】
0004452223.tif 000004
【図４】
0004452223.tif 000005
【図５】
0004452223.tif 000006
【図６】
0004452223.tif 000007
【図７】
0004452223.tif 000008
【図８】
0004452223.tif 000009
【図９】
0004452223.tif 000010
【図１０】
0004452223.tif 000011
【図１１】
0004452223.tif 000012
【図１２】
0004452223.tif 000013
【図１３】
0004452223.tif 000014
【図１４】
0004452223.tif 000015
【図１５】
0004452223.tif 000016
【図１６】
0004452223.tif 000017
【図１７】
0004452223.tif 000018
【図１８】
0004452223.tif 000019
【図１９】
0004452223.tif 000020
【図２０】
0004452223.tif 000021
【図２１】
0004452223.tif 000022
【図２２】
0004452223.tif 000023